(57)【要約】【課題】  言葉を発することなく各種無線通信手段により情報伝達が行えると共に、携帯性及び操作性の優れたテロリスト対策用携帯型ワイヤレス通信装置を得る。【解決手段】  手の各指及び／又は靴の先端側に挿着して指及び／又は靴の動きを検出するセンサ手段と当該センサ手段を接続するアナログインターフェース回路を有したバッテリーレス型ＣＰＵ付きＲＦＩＤタグから成るバッテリーレス型のセンサユニットと、該センサユニットと無線通信を行い各指及び／又は靴の動きに伴う加速度データ及び当該ＲＦＩＤタグの固有ＩＤデータを取得して解析処理することにより指及び／又は靴の動作パターンを検出し当該動作パターンに意味付けられた情報内容に翻訳した後、音声データベースに格納された登録単語より最適な単語を選択して各種無線通信手段により情報伝送することができるコントロールユニットとにより構成する【選択図】        図１
2006094375.tif 000002
【特許請求の範囲】
【請求項１】
手の各指及び／又は靴の先端側に挿着して指及び／又は靴の動きを検出するセンサ手段と当該センサ手段を接続するアナログインターフェース回路を有したバッテリーレス型ＣＰＵ付きＲＦＩＤタグから成るバッテリーレス型のセンサユニットと、該センサユニットと無線通信を行い各指及び／又は靴の動きに伴う加速度データ及び当該ＲＦＩＤタグの固有ＩＤデータを取得して解析処理することにより指及び／又は靴の動作パターンを検出し当該動作パターンに意味付けられた情報内容に翻訳した後、音声データベースに格納された登録単語より最適な単語を選択して各種無線通信手段により情報伝送することができるコントロールユニットとにより構成することを特徴とした、テロリスト対策用携帯型ワイヤレス通信装置。
【請求項２】
請求項１に記載のセンサ手段が、自ら発電することによりバイアス電流を不要として加速度に比例した電圧信号を出力することができる磁気平衡型３軸加速度センサであることを特徴とした、テロリスト対策用携帯型ワイヤレス通信装置。
【請求項３】
請求項１に記載のバッテリーレス型ＣＰＵ付きＲＦＩＤタグが、コントロールユニットから送信された電磁波又は電磁界を受信してアンテナ回路に発生した誘導起電力を整流及び蓄積するための電源回路及び充電用コンデンサを有したものであることを特徴とした、テロリスト対策用携帯型ワイヤレス通信装置。
【請求項４】
請求項１に記載のコントロールユニットが、多数のセンサユニットと同時に無線通信が行えるアンチコリジョン機能を有したものであることを特徴とした、テロリスト対策用携帯型ワイヤレス通信装置。
【請求項５】
請求項１に記載の無線通信手段が、特定小電力無線等の無線通信又は構内ＩＰ無線網による無線通信又は携帯電話網による無線通信の何れか一つに対応したものであることを特徴とした、テロリスト対策用携帯型ワイヤレス通信装置。
【請求項６】
特定小電力無線等の無線通信を行う無線通信回路と、構内ＩＰ無線網による無線通信を行うＩＰ通信回路と、携帯電話網による無線通信を行う携帯通信回路をカード型モジュールとし、コントロールユニットにおいて用途に応じて脱着交換可能としたことを特徴とした、請求項１及び請求項５に記載のテロリスト対策用携帯型ワイヤレス通信装置。
【発明の詳細な説明】
【技術分野】
【０００１】
本発明は、予め決められた指及び／又は靴の動作パターンを検出し当該動作パターンに意味付けられた情報内容の翻訳が行える通信装置を介することにより、言葉を発することなく情報伝達を行うことができる、テロリスト対策用携帯型ワイヤレス通信装置に関するものである。
【背景技術】
【０００２】
従来、テロリストによる建築物の破壊や飛行機・列車等の交通機関の爆破又は要人への襲撃等を防止するため、該建築物や交通機関及び要人の周辺に多数の警備員を配置している。警備員同士が離れている場合、トランシーバーを使用して互いの情報交換を行っている。しかし、トランシーバーを使用すると声が発生するため、周囲に聞かれたり口の動きにより情報が漏れる危険性がある。
【０００３】
声を発生させずに相手に情報を伝達する手段として手話がある。聾唖者のための手話は手の動きが大きいため、テロリスト対策用の情報伝達手段としては不向きであるが、予め決められた指及び／又は靴の動作パターンに意味付けを行い、該動作パターンに意味付けられた情報内容を翻訳及び音声化すれば、離れた警備員同士でも声を発生することなく情報伝達することが可能となる。該技術に関しテロリスト対策用のものはないが、類似技術として特開平１１−７２３７号公報の「人間の動作を音に変換する方法と装置」がある。該公報では、動作者の手の位置を３次元位置検出センサにて検出し、指の曲げ角度をグローブ型センサにて検出し、該センサ信号より手の移動量や曲げ角度及び指の曲げ角度をＣＰＵの演算処理により求め、記憶装置に格納した登録単語を検索して音声出力する装置について記載されている。
【特許文献１】特開平１１−７２３７
【発明の開示】
【発明が解決しようとする課題】
【０００４】
しかしながら、上記特開平１１−７２３７号公報では、圧電素子を用いたグローブ型センサを手に嵌め、該グローブ型センサの甲の位置に磁気利用による３次元位置センサを固定する必要がある。該グローブ型センサや３次元位置センサには信号伝送のための配線が必要であり、また、センサ信号を解析して手話内容を翻訳し音声にて出力するためのコントローラやＣＰＵ及び記憶装置間等にも配線が必要であるため、携帯性及び操作性に不便であるという問題点がある。
【０００５】
本発明は、上記問題点を解決すると共に従来にないテロリスト対策用の通信装置を提供するために成されたものであり、言葉を発することなく各種無線通信手段により情報伝達が行えると共に、センサユニットとコントロールユニット間のワイヤレス化及びセンサユニットのバッテリーレス化により、携帯性及び操作性の優れたテロリスト対策用携帯型ワイヤレス通信装置を提供することを目的とする。
【課題を解決するための手段】
【０００６】
上記課題を解決するため、本発明のテロリスト対策用携帯型ワイヤレス通信装置においては、手の各指及び／又は靴の先端側に挿着して指及び／又は靴の動きを検出するセンサ手段と当該センサ手段を接続するアナログインターフェース回路を有したバッテリーレス型ＣＰＵ付きＲＦＩＤ（Radio Frequency Identification）タグから成るバッテリーレス型のセンサユニットと、該センサユニットと無線通信を行い各指及び／又は靴の動きに伴う加速度データ及び当該ＲＦＩＤタグの固有ＩＤデータを取得して解析処理することにより指及び／又は靴の動作パターンを検出し当該動作パターンに意味付けられた情報内容に翻訳した後、音声データベースに格納された登録単語より最適な単語を選択して各種無線通信手段により情報伝送することができるコントロールユニットとにより構成する。
【０００７】
上記センサ手段は、自ら発電することによりバイアス電流を不要として加速度に比例した電圧信号を出力することができる磁気平衡型３軸加速度センサとする。
【０００８】
上記バッテリーレス型ＣＰＵ付きＲＦＩＤタグは、コントロールユニットから送信された電磁波又は電磁界を受信してアンテナ回路に発生した誘導起電力を整流及び蓄積するための電源回路及び充電用コンデンサを有したものとする。
【０００９】
上記コントロールユニットは、多数のセンサユニットと同時に無線通信が行えるアンチコリジョン機能を有したものとする。
【００１０】
上記無線通信手段は、特定小電力無線等の無線通信又は構内ＩＰ無線網による無線通信又は携帯電話網による無線通信の何れか一つに対応したものとする。
【発明の効果】
【００１１】
本発明のテロリスト対策用携帯型ワイヤレス通信装置によれば、言葉を発することなく予め決められた指及び／又は靴の動作パターンにより各種無線通信手段を用いて情報伝達することができる。このため、声の発生や口の動きにより情報が漏れるという危険性が無くなるという絶大なる効果を奏する。また、センサユニットとコントロールユニット間の信号伝送が無線通信のため配線が不要になると共にセンサユニットがバッテリーを必要とせず周辺機構部品も不要となるため非常に小型化され、携帯性及び操作性に優れたものになるという効果も奏する。
【発明を実施するための最良の形態】
【００１２】
本発明を実施するための最良の形態を図を用いて説明する。
【００１３】
図１は本発明のテロリスト対策用携帯型ワイヤレス通信装置のシステム構成図であり、手１の各指２の先端側好ましくは第一関節と第二関節の間及び／又は靴４の先端部にセンサユニット３を挿着する。該センサユニット３は１０ｍｍ角程度内のハウジングケースに収容することが可能である。指２に挿着するセンサユニット３は指輪型形状とし、靴４に挿着する場合はそのまま靴４の内部先端部に固定する。また、センサユニット３を片手片脚使用とした場合には指２に５個又は靴４のものを含めて６個使用するが、両手両脚使用とした場合には指２に１０個又は靴４のものを含めて１２個使用する。
【００１４】
上記センサユニット３は、指２及び／又は靴４の動作パターンを検出するためのセンサ手段として自ら発電することによりバイアス電流を不要とし、即ちバッテリー無しに加速度に比例した電圧信号を出力することができる磁気平衡型３軸加速度センサと、該センサが接続可能なアナログインターフェース回路を有したバッテリーレス型ＣＰＵ付きＲＦＩＤタグから成る。なお、アナログインターフェース回路やバッテリーレス型ＣＰＵ付きＲＦＩＤタグは誘導起電力で駆動するため、駆動電圧は０．８〜１．２Ｖ程度の低電圧型とする。
【００１５】
各指２及び／又は靴４に挿着された多数のセンサユニット３は、コントロールユニット５のアンテナ６を介して同時に無線通信を行い、各指２及び／又は靴４の動作パターンに伴う加速度データ及び当該ＲＦＩＤタグの固有ＩＤデータを取得する。
【００１６】
コントロールユニット５は、相手のコントロールユニット５又は後述の管理センターから送信された情報内容を音声で聴取するためのイヤホン７を具備する。また、スイッチや音量調整ボリウム（図示せず）等も具備する。
【００１７】
図２は本発明のテロリスト対策用携帯型ワイヤレス通信装置を警備員等が使用する時の実施状態図であり、警備員９ａ，９ｂが各指２及び／又は靴４に多数のセンサユニット３を挿着し、ベルトに係着したコントロールユニット５と無線通信を行うことにより、該コントロールユニット５にて翻訳された動作パターンの情報内容が直接又は管理センター４５を中継して相手のコントロールユニット５に送信されてイヤホン７より音声出力される。その結果、言葉を発することなく情報伝達することが可能となる。
【００１８】
図４は本発明のテロリスト対策用携帯型ワイヤレス通信装置のセンサユニットを構成する磁気平衡型３軸加速度センサの概略構造図であり、磁気平衡型３軸加速度センサ１０は磁気平衡型加速度センサエレメント１０ａ，１０ｂ，１０ｃをＸ軸，Ｙ軸及びＸ軸方向に互いに直交するように配設して構成する。各磁気平衡型加速度センサエレメント１０ａ，１０ｂ，１０ｃには、それぞれコイル１１ａ，１１ｂ，１１ｃが１箇所又は２箇所に巻かれている。該図は磁気平衡型３軸加速度センサ１０の基本構成を示したものであり、実際にはバッテリーレス型ＣＰＵ付きＲＦＩＤタグと共にハウジングケースに収容してセンサユニット３とするものである。
【００１９】
図５は磁気平衡型３軸加速度センサから出力される電圧波形図であり、磁気平衡型３軸加速度センサ１０を構成する各磁気平衡型加速度センサエレメント１０ａ，１０ｂ，１０ｃは、シリンダ１２の内部に可動マグネット１３を収容すると共に当該シリンダ１２の両端部に可動マグネット１３の極性と同一極性が対向するように固定マグネット１５，１５を固設し、シリンダ１２内部の軸方向に振動可能に可動マグネット１３を平衡配置する。更に、可動マグネット１３の両端部に硬球１４，１４を配設すると共に当該可動マグネット１３の先端部分のシリンダ１２外面に誘導起電力を発生させるためのコイル１１，１１を巻く。該図では可動マグネット１３の両端部分の２箇所にコイル１１，１１を巻いているが、上側のコイル１１又は下側のコイル１１のどちらか１箇所のコイルとしても良い。また、硬球１４，１４はシリンダ１２の内部を可動マグネット１３が振動する際にシリンダ１２の内面と硬球１４，１４が点接触することにより滑り摩擦による影響を減少させるためのものであるが、影響が無視できるものであれば無くても構わない。
【００２０】
ここで、磁気平衡型加速度センサエレメント１０ａ，１０ｂ，１０ｃが図中矢印方向に１周期だけ振動した場合、上側のコイル１１からはＶ１で示す１サイクルの交流電圧が発生し、下側のコイル１１からはＶ２で示す１サイクルの交流電圧が発生する。該交流電圧は逆極性であるため、極性を判断することにより振動方向の判別が可能になる。また、振動の強さ即ち加速度の強さにより誘導起電力の電圧値が変化するため、電圧値の大きさ及び変動時間を計測することにより加速度が検出可能となる。
【００２１】
次に、図６は本発明のテロリスト対策用携帯型ワイヤレス通信装置を構成するセンサユニットのバッテリーレス型ＣＰＵ付きＲＦＩＤタグの概略ブロック図であり、アンテナ２０を介してコントロールユニット５と通信を行い当該コントロールユニット５から送信された電磁波又は電磁界を受信してアンテナ回路に発生した誘導起電力を整流及び蓄積するための電源回路と充電用コンデンサ２１を有すると共に各方向の加速度データ及び当該ＲＦＩＤタグ１６の固有ＩＤデータを送信するためのＲＦＩＤ部１７と、磁気平衡型加速度センサエレメント１０ａ，１０ｂ，１０ｃに巻かれたコイル１１ａ，１１ｂ，１１ｃから出力される電圧信号を加速度データとしてデジタル値に変換するためのＡ／Ｄ変換部１９と、該ＲＦＩＤ部１７及びＡ／Ｄ変換部１９を制御するためのＣＰＵ１８等により構成する。
【００２２】
図７は図６におけるＲＦＩＤ部の詳細ブロック図であり、コントロールユニット５と電磁波又は電磁界により通信を行うアンテナ２０は同調キャパシタ（図示せず）から成る同調回路２２に接続され、共振回路を構成する。アンテナ２０は一般的にはループアンテナであり、該ループアンテナの導線には相互インダクタンスが大きく取れる高効率なアンテナ素材が好適である。
【００２３】
上記同調回路２２の後段には、コントロールユニット５のアンテナ６から出力された電磁波又は電磁界がアンテナ２０を通過した時に発生する誘導起電力の電圧波形を検波したり、該誘導起電力を半波又は全波整流して直流電圧を取り出すための整流回路２３を接続する。該整流回路２３で使用するダイオード（図示せず）は順方向電圧降下の低いもの、例えばショットキバリアダイオードが好適である。
【００２４】
上記整流回路２３の後段には、検波したキャリアを分周して回路用クロック信号を生成するためのクロック生成回路２４と、信号受信時においてキャリアから信号を取り出す復調動作を行ったり信号送信時においてスイッチング素子（図示せず）により変調動作を行うための変復調回路２５と、上記直流電圧を安定化して当該ＲＦＩＤ部１７，ＣＰＵ１８及びＡ／Ｄ変換部１９に安定化電源を供給したり、充電用コンデンサ２１に充電電圧を供給するための電源回路２６を接続する。該充電用コンデンサ２１は、大容量型では電気二重層コンデンサが好適であるが、電源容量に応じて他のコンデンサを選択しても構わない。
【００２５】
図８は図６におけるＡ／Ｄ変換部の詳細ブロック図であり、Ｘ軸方向の磁気平衡型加速度センサエレメント１０ａのコイル１１ａとＹ軸方向の磁気平衡型加速度センサエレメント１０ｂのコイル１１ｂとＺ軸方向の磁気平衡型加速度センサエレメント１０ｃのコイル１１ｃから出力される電圧信号をアナログ入力回路２７に入力する。
【００２６】
図４における各磁気平衡型加速度センサエレメント１０ａ，１０ｂ，１０ｃにはそれぞれコイル１１ａ，１１ｂ，１１ｃが２箇所づつ巻かれているため、該２箇所のコイルから出力される電圧信号の極性を合せた上、アナログ入力回路２７の前段の加算回路にて加算し、後段のＯＰアンプにてスケーリングする。なお、各磁気平衡型加速度センサエレメント１０ａ，１０ｂ，１０ｃにおいて、コイル１１ａ，１１ｂ，１１ｃが１箇所のみ巻かれている場合は、前記加算回路は不要となる。
【００２７】
上記アナログ入力回路２７の後段には、Ａ／Ｄコンバータ２９に電圧信号を順次切換えてサンプリング入力するためのアナログマルチプレクサ２８を接続し、該Ａ／Ｄコンバータ２９で電圧信号をデジタル値に変換した後、ＣＰＵ１８に加速度データとして出力する。
【００２８】
図９は本発明のテロリスト対策用携帯型ワイヤレス通信装置を構成するコントロールユニットのブロック図である。該コントロールユニット５には、手１の各指２及び／又は靴４に挿着された多数のセンサユニット３内のＲＦＩＤタグ１６と無線通信を行う通信ブロックを有している。
【００２９】
上記通信ブロックは、各指２及び／又は靴４に挿着された多数のセンサユニット３内のＲＦＩＤタグ１６と無線通信を行うためのアンテナ６と、送信時において送信回路３１から出力される送信信号をアンテナ６に接続し受信時においてアンテナ６で受信した受信信号を受信回路３２に接続して入力するための切換器３０と、前記送信回路３１にキャリアを重畳した変調信号を出力したり受信回路３２で受信した信号を検波して復調信号を得るための変復調回路３３で構成する。該通信におけるキャリア周波数は９５０ＭＨｚ帯のＲＦＩＤ無線が好ましいが、特に限定するものではない。
【００３０】
また、前記変復調回路３３及び切換器３０をＣＰＵ３４に接続して通信制御を行う。該ＣＰＵ３４には当該コントロールユニット５の制御及び加速度データを演算解析することにより指２及び／又は靴４の動作パターンを検出して翻訳するための制御プログラムの格納と、センサユニット３から得られた加速度データの蓄積及び登録単語の音声データを蓄積した音声データベースを格納するためのメモリ３５を接続する。また、通信制御を行う制御プログラムには、多数のセンサユニット３と同時に無線通信が行えるアンチコリジョン機能を持たせ、該機能に対応したＲＦＩＤタグ１６より安定且つ確実なデータ取得が行えるものとする。
【００３１】
また、ＣＰＵ３４に無線通信回路３７を接続し、相手の警備員が所持するコントロールユニット５に対し、動作パターンを翻訳して得られた情報内容をアンテナ８より送信可能とする。該通信におけるキャリア周波数は４２０ＭＨｚ〜４５０ＭＨｚ帯の特定小電力無線が好ましいが、特に限定するものではない。
【００３２】
また、ＣＰＵ３４に音声回路３６を接続し、受信して得られた音声データを音声合成処理により音声化し、イヤホン７にて聴取可能とする。
【００３３】
また、無線通信回路３７に代えてＣＰＵ３４にＩＰ通信回路３８を接続し、後述の実施例で説明する用途において構内ＩＰ無線網に接続可能にする。
【００３４】
また、無線通信回路３７に代えてＣＰＵ３４に携帯通信回路３９を接続し、後述の実施例で説明する用途において携帯電話網に接続可能にする。
【００３５】
なお、上記無線通信回路３７やＩＰ通信回路３８及び携帯通信回路３９をカード型モジュールとし、更に無線通信回路３７やＩＰ通信回路３８においてはアンテナ８を当該カード型モジュールに具備し、用途に応じて脱着交換可能にすると好適である。
【００３６】
また、上記コントロールユニット５はバッテリー駆動が好ましく、バッテリーを内蔵した電源回路４０より、安定化された各種回路用電源が得られるものとする。
【００３７】
なお、上述の図６から図９で説明したブロック図は機能説明のためのものであり、更に別の回路が付加したり、他の方式の回路に置き換えられることも有り得るが、同等の動作を行うものは全て範疇に含むものである。
【実施例１】
【００３８】
本発明の実施例１として本発明のテロリスト対策用携帯型ワイヤレス通信装置を警備員等が使用する時の実施状態図に基づいて説明する。
【００３９】
まず、警備員９ａ，９ｂは手１の各指２及び／又は靴４に多数のセンサユニット３を挿着し、ベルトにコントロールユニット５を係着しておく。警備員９ａ，９ｂは、各指２の簡単な曲げ動作及び／又は靴４先端部の上下動作で情報伝達することができる多数の動作パターンを予め理解しておく。各動作パターンには固有情報が意味付けられているが当該警備会社で決められた警備情報用のものであり、一般の手話とは異なるものである。
【００４０】
ここで、警備員９ａが警備員９ｂに情報を伝達する場合、警備員９ａは情報内容に対応した各指２及び／又は靴４の動作パターンを発生させる。センサユニット３とコントロールユニット５とは、該コントロールユニット５の電源をＯＮにした時より通信を開始し、各指２及び／又は靴４の動作パターンに伴う加速度データ及びセンサユニット３内のＲＦＩＤタグ１６の固有ＩＤデータを取得する。
【００４１】
図１０はコントロールユニットのメモリに蓄積される加速度データ配列例であり、手１の第１指から第５指と靴４の先端部のＸ軸，Ｙ軸，Ｚ軸方向の加速度データαｎｘ，αｎｙ，αｎｚ（ｎ＝１〜６）を、ＲＦＩＤタグ１６の固有ＩＤデータを基に規則正しくメモリ３５に配列して蓄積した配列例を示している。
【００４２】
ここで、手１の第１指から第５指と靴４の先端部の加速度データをメモリ３５に蓄積すると同時に当該加速度データを演算解析して各指２及び／又は靴４の動作パターンを検出する。そして、該動作パターンから情報内容を翻訳した後、登録単語の音声データを格納した音声データベースより最適な音声データを選択し、無線通信回路３７のアンテナ８を介して特定省電力無線４６等の無線通信により直接又は管理センター４５を中継して相手の警備員９ｂが所持するコントロールユニット５に送信する。相手の警備員９ｂのコントロールユニット５は当該音声データ信号を無線通信回路３７のアンテナ８で受信し、音声回路３６にて音声合成処理により音声化し、イヤホン７にて聴取することができる。また、管理センター４５にも情報伝達が行え、該管理センター４５で多数の警備員の情報内容を管理したり同報指令を行うことも可能である。
【００４３】
以上により、警備員９ａは警備員９ｂに対し言葉を発することなく情報伝達することができる。警備員９ｂの警備員９ａに対する情報伝達も同様である。従って、声の発生や口の動きにより情報が漏れるという危険性が無くなる。
【実施例２】
【００４４】
本発明の実施例２として本発明のテロリスト対策用携帯型ワイヤレス通信装置を警備員等が使用する時の別方法の実施状態図に基づいて説明する。
【００４５】
図３の（ａ）は、警備員９ａと警備員９ｂとの通信距離を延ばして行動範囲を広げるため、通信網として構内ＩＰ無線網４１を使用した例である。この場合、図９に示すコントロールユニット５のブロック図において、ＣＰＵ３４にＩＰ通信回路３８を接続し、アンテナ８を介して構内ＩＰ無線網４１に接続可能な状態にしておく。なお、警備員９ａ，９ｂは各指２及び／又は靴４に多数のセンサユニット３を挿着し、ベルトにコントロールユニット５を係着しておき、各指２及び／又は靴４の動作パターンを発生させて情報伝達する方法は実施例１と同様である。また、管理センター４５にも情報伝達が行え、該管理センター４５で多数の警備員の情報内容を管理したり同報指令を行うことも可能である。
【００４６】
図３の（ｂ）は、警備員９ａと警備員９ｂとの通信距離を更に延ばすため、通信網として携帯電話網４２を使用した例である。この場合、図９に示すコントロールユニット５のブロック図において、ＣＰＵ３４に携帯通信回路３９を接続し、更にインターフェースケーブル４４にて警備員９ａ，９ｂが所持する携帯電話４３の外部インターフェースコネクタに接続して携帯電話網４２と接続可能な状態にしておく。なお、警備員９ａ，９ｂは各指２及び／又は靴４に多数のセンサユニット３を挿着し、ベルトにコントロールユニット５を係着しておき、各指２及び／又は靴４の動作パターンを発生させて情報伝達する方法は実施例１と同様である。また、管理センター４５にも情報伝達が行え、該管理センター４５で多数の警備員の情報内容を管理したり同報指令を行うことも可能である。
【産業上の利用可能性】
【００４７】
本発明のテロリスト対策用携帯型ワイヤレス通信装置は、各指２及び／又は靴４の簡単な動作パターンで情報を伝えることができるため、テロリスト対策用以外にも一般の警備において声を出すことができない場所や声が届かない場所などにおいて使用することが可能である。
【図面の簡単な説明】
【００４８】
【図１】本発明のテロリスト対策用携帯型ワイヤレス通信装置のシステム構成図である。
【図２】本発明のテロリスト対策用携帯型ワイヤレス通信装置を警備員等が使用する時の実施状態図である。
【図３】本発明のテロリスト対策用携帯型ワイヤレス通信装置を警備員等が使用する時の別方法の実施状態図である。
【図４】本発明のテロリスト対策用携帯型ワイヤレス通信装置のセンサユニットを構成する磁気平衡型３軸加速度センサの概略構造図である。
【図５】磁気平衡型３軸加速度センサから出力される電圧波形図である。
【図６】本発明のテロリスト対策用携帯型ワイヤレス通信装置を構成するセンサユニットのバッテリーレス型ＣＰＵ付きＲＦＩＤタグの概略ブロック図である。
【図７】図６におけるＲＦＩＤ部の詳細ブロック図である。
【図８】図６におけるＡ／Ｄ変換部の詳細ブロック図である。
【図９】本発明のテロリスト対策用携帯型ワイヤレス通信装置を構成するコントロールユニットのブロック図である。
【図１０】コントロールユニットのメモリに蓄積される加速度データ配列例である。
【符号の説明】
【００４９】
１  手
２  指
３  センサユニット
４  靴
５  コントロールユニット
６  アンテナ
７  イヤホン
８  アンテナ
９ａ，９ｂ  警備員
１０  磁気平衡型３軸加速度センサ
１１  コイル
１２  シリンダ
１３  可動マグネット
１４  鋼球
１５  固定マグネット
１６  ＲＦＩＤタグ
１７  ＲＦＩＤ部
１８  ＣＰＵ
１９  Ａ／Ｄ変換部
２０  アンテナ
２１  充電用コンデンサ
２２  同調回路
２３  整流回路
２４  クロック生成回路
２５  変復調回路
２６  電源回路
２７  アナログ入力回路
２８  アナログマルチプレクサ
２９  Ａ／Ｄコンバータ
３０  切換器
３１  送信回路
３２  受信回路
３３  変復調回路
３４  ＣＰＵ
３５  メモリ
３６  音声回路
３７  無線通信回路
３８  ＩＰ通信回路
３９  携帯通信回路
４０  電源回路
４１  構内ＩＰ無線網
４２  携帯電話網
４３  携帯電話
４４  インターフェースケーブル
４５  管理センター
４６  特定小電力無線
【図１】
2006094375.tif 000003
【図２】
2006094375.tif 000004
【図３】
2006094375.tif 000005
【図４】
2006094375.tif 000006
【図５】
2006094375.tif 000007
【図６】
2006094375.tif 000008
【図７】
2006094375.tif 000009
【図８】
2006094375.tif 000010
【図９】
2006094375.tif 000011
【図１０】
2006094375.tif 000012